(57)【要約】      （修正有）【課題】マウスと同等の操作ができ、使用時の安定性および円滑性を向上させ、操作上の不快感を改善することができる操作装置を提供する。【解決手段】座体１、回路モジュール２、カバー３およびケーシング４から構成される。座体１の収容空間１０には、回路モジュール２が収容される。座体１の上表面には、開放孔１２１が設けられ、回路モジュール２の回路基板２０上の検出モジュール２２が位置合わせされる。カバー３は、座体１の表面に覆設され、開放孔１２１の外側を被覆する。座体１は、ケーシング４の内部の可動空間４０に収容され、カバー３は、ケーシング４の上蓋４２の開口４２１から露出する。ユーザが指でカバー３を前後に回動させたり、左右にスライドさせたりしたとき、検出モジュール２２が開放孔１２１を通じ、カバー３の移動距離および軌跡を計算し、外部の電子製品のモニター上のカーソルを変移させる。【選択図】図２
0003160357.tif 000002
【実用新案登録請求の範囲】
【請求項１】
外部の電子製品に信号を伝送し、カーソル動作を制御するのに使用される操作装置であり、座体、回路モジュールおよびカバーから構成され、
前記座体の内部には、収容空間が形成され、前記座体の上表面には、前記収容空間に連通する開放孔が設けられ、
前記回路モジュールは、回路基板を含み、前記座体の収容空間内に収容され、前記回路基板の表面には、マイクロプロセッサと、前記開放孔に位置合わせされ、前記カバーの変移を検出する検出モジュールと、が配置され、
前記カバーは、前記座体の表面に覆設され、回動およびスライドし、前記カバーは、前記開放孔の外側を被覆することを特徴とする操作装置。
【請求項２】
前記座体は、第１の座体および第２の座体を含み、前記第１の座体の前記収容空間の両側には、少なくとも１組以上の互いに対応する位置規制部が設けられ、前記第２の座体の外側には、前記位置規制部と可動可能に突き合わせ接続される支持部が設けられ、前記第２の座体の内部には、第１の座体の上表面に弾性支持される複数の弾性部材が配置され、前記第２の座体を浮いた状態にすることを特徴とする請求項１記載の操作装置。
【請求項３】
前記座体の内部には、複数の結合部が凸設され、前記回路モジュールに含まれる前記回路基板の表面には、前記結合部内に螺入され、一体となる複数の位置決め部材が貫通配置されることを特徴とする請求項１記載の操作装置。
【請求項４】
前記回路モジュールに含まれる回路基板上のマイクロプロセッサは、前記検出モジュールと、制御スイッチと、外部の電子製品のインターフェース接続ポートに信号を伝送する伝送インターフェースと、電気的に接続され、前記伝送インターフェースとインターフェース接続ポートとの信号伝送は、有線または無線の伝送方式であることを特徴とする請求項１記載の操作装置。
【請求項５】
前記回路基板上の制御スイッチは、ユーザが前記カバーを押圧して前記座体の内部の上表面に当接させたとき、信号を発信することを特徴とする請求項４記載の操作装置。
【請求項６】
前記伝送インターフェースは、ＵＳＢ、ＰＳ２または他の有線接続インターフェースであり、前記伝送インターフェースに含まれる伝送ケーブルが外部の電子製品のインターフェース接続ポートに挿入接続されることを特徴とする請求項４記載の操作装置。
【請求項７】
前記伝送インターフェースは、赤外線、ブルートゥース（Ｂｌｕｅｔｏｏｔｈ）、無線周波数または他の形式の無線伝送インターフェースであることを特徴とする請求項４記載の操作装置。
【請求項８】
前記回路モジュールに含まれる検出モジュールは、少なくとも、検出ユニットと、前記ベース台の内部に位置決めされる発光部材と、から構成され、前記ベース台の上表面には、前記開放孔内に嵌入位置決めされるレンズが配置されることを特徴とする請求項１記載の操作装置。
【請求項９】
前記カバーの中空の内部には、前記座体の表面に覆設するための孔部が形成されることを特徴とする請求項１記載の操作装置。
【請求項１０】
前記座体の外部には、ケーシングが配置され、前記ケーシングは、底台および少なくとも１つ以上の上蓋を含み、前記ケーシングの内部には、前記カバーが変移するための可動空間が形成され、前記底台の両外側には、前記座体の外側に含まれる位置決め部と互いに嵌合固定される複数の接合部が設けられ、前記接合部の内部には、前記位置決め部に螺合される螺合部材が貫通配置されることを特徴とする請求項１記載の操作装置。
【請求項１１】
前記底台の前記可動空間の両側には、少なくとも１組以上の互いに対応する係合支持部が設けられ、前記２つの上蓋の間の前記開放孔に対向する位置には、前記カバーが露出する開口が形成され、前記上蓋の底側部には、前記係合支持部に対応して係合位置決めされる複数の係合部が設けられることを特徴とする請求項１０記載の操作装置。
【請求項１２】
前記底台の外側辺には、互いに対向する２つの凸部が設けられ、前記上蓋の外側辺には、前記凸部が嵌合固定される嵌合溝が設けられることを特徴とする請求項１０記載の操作装置。
【請求項１３】
前記座体の底部の両側部には、支持フレームがそれぞれ位置決めされることを特徴とする請求項１記載の操作装置。
【請求項１４】
前記座体は、一体成形されるか、或いは、２つ以上の第１の座体および第２の座体から構成され、前記座体は、略棒状であり、その断面は、円形、楕円形または他のカバーが回動およびスライドするのに都合の良い形状であることを特徴とする請求項１記載の操作装置。
【請求項１５】
前記座体は、ポリオキシメチレン（ＰＯＭ）、ポリテトラフルオロエチレン（ＰＴＦＥ）、超高分子量ポリエチレン（ＵＨＭＷＰＥ）または他の自己潤滑性材料から製造されることを特徴とする請求項１記載の操作装置。
【請求項１６】
前記カバーは、網状の編織布または不織布から製造されることを特徴とする請求項１記載の操作装置。
【請求項１７】
前記カバーは、プラスチックまたはゴムから製造されることを特徴とする請求項１記載の操作装置。
【請求項１８】
前記カバーは、皮革から製造されることを特徴とする請求項１記載の操作装置。
【考案の詳細な説明】
【技術分野】
【０００１】
本考案は、操作装置に関し、特に、外部の電子製品に信号を伝送し、カーソルを操作する操作装置として使用され、座体の内部に収容された検出モジュールが座体の上表面の開放孔を通じ、外部に覆設されたカバーの回動距離、スライド距離および軌跡を計算し、マウスと同等の操作を行うことができる上、使用時の安定性および円滑性を向上させることができる操作装置に関する。
【背景技術】
【０００２】
科学技術の急速な進歩および電子産業の目覚しい発展に伴い、各種の電子装置が我々の生活の中に浸透している。例えば、現在広く使用されているコンピュータ、ノートパソコン、携帯電話およびデジタルカメラなどの電子装置は、すでに我々の生活に欠かすことのできないものとなっている。コンピュータ、ノートパソコンなどは、個人、家庭または仕事において、必需品である言ってよいほどの道具である。また、インターネットの普及により、ニュース検索、資料検索、音楽鑑賞、映画鑑賞、ゲームなどは、コンピュータまたはインターネットが利用される。また、インターネットを通じ、友人とのチャット、電子メールの送受信などを行うことができる以外に、買い物、予約、支払いなどの消費行為を行うこともできる。
【０００３】
コンピュータは、多くの機能を有し、ユーザの生活をさらに便利なものにしている。従って、大部分のユーザは、毎日、コンピュータを使用し、マウス、キーボードなどの周辺装置を使用してコンピュータを操作し、カーソルを移動させてメニュー選択したり、ドラッグしたり、マウスドラッグによる選択をしたり、或いは、キーボードにより、文字を入力したりする。
【０００４】
長時間マウスを使用する場合、ユーザは、腕部をテーブル上に当接し、手のひらでマウスを握持して変移させる。しかし、マウスを広範囲に移動させるとき、腕部を持ち上げ、肘部により、マウスを変移させる必要があり、長時間頻繁にマウスを使用した場合、手根管症候群になりやすい。そこで、この問題を解決するために、腕部用のマウスパッドが開発された。このマウスパッドは、ユーザの腕部を柔軟なマット上に当接することにより、操作上の不快感を緩和したり、改善したりするものである。しかし、マウスを広範囲に移動させるとき、やはり腕部をマットから離さなければならないため、同一の姿勢で操作し続けることができない。また、個人の習慣の違いにより、マウスを持ち上げ、置きなおす動作をする場合があり、その場合、マットの実用性が大幅に低減する。
【０００５】
従って、マウスを使用するときの欠点を如何に解決し、ユーザが操作を行うとき、腕部を確実に固定できる上、片手または両手でマウスと同等の操作を行うことができ、人体工学に基づいた装置を案出することは、当業者が改善したかった課題であった。
【０００６】
本考案の考案者は、上述の従来技術の欠点に鑑み、関連資料を収集し、本業界における長年の経験に基づき、幾度もの試作および修正を行った結果、ついに本考案の操作装置を案出した。
【考案の概要】
【考案が解決しようとする課題】
【０００７】
本考案の第１の目的は、外部の電子製品上に設置して、信号伝送を行うことができ、ユーザが腕部をマウスパッド上に当接させたとき、指で座体の上表面のカバーを前後に回動させたり、左右にスライドさせたりすることができ、座体の内部に収容された検出モジュールが座体の上表面の開放孔を通じ、カバーの回動距離、スライド距離および軌跡を計算し、外部の電子製品のモニター上のカーソルを変移させて操作し、マウスと同等の操作を行うことができ、人体工学に基づき、ユーザが操作を行うとき、同一の姿勢を維持することができる上、カバーと座体表面との間の移動により発生する摩擦力が非常に小さく、使用時の安定性および円滑性を向上させ、操作上の不快感を改善することができる操作装置を提供することにある。
本考案の第２の目的は、ユーザがカバーを下方に押圧したとき、座体に含まれる第２の座体が支持部を通じて第１の座体の位置規制部の方向に下方に変移すると共に、弾性部材が圧縮されて弾性変形し、それと同時に、回路モジュールに含まれる回路基板の底部上の制御スイッチが下方の第１の座体表面上に当接されて信号が発信され、カーソルがクリックされた状態となり、座体が下方に変移した状態で、カバーを前後に回動させたり、左右にスライドさせたりすることにより、画面をスクロールさせたり、ドラッグしたり、マウスドラッグによる選択をしたりすることができる操作装置を提供することにある。
本考案の第３の目的は、回路モジュールが座体の内部の収容空間に収容され、第２の座体と一体に接合されることにより、回路モジュールを外部の電子製品上に設置するときの占有空間を低減し、回路モジュールを完全に遮蔽することができ、これにより、美観性を高めると共に、操作装置全体を小型化することができる操作装置を提供することにある。
【課題を解決するための手段】
【０００８】
上述の課題を解決するため、請求項１の考案は、外部の電子製品に信号を伝送し、カーソル動作を制御するのに使用される操作装置であり、座体、回路モジュールおよびカバーから構成され、座体の内部には、収容空間が形成され、座体の上表面には、収容空間に連通する開放孔が設けられ、回路モジュールは、回路基板を含み、座体の収容空間内に収容され、回路基板の表面には、マイクロプロセッサと、開放孔に位置合わせされ、カバーの変移を検出する検出モジュールと、が配置され、カバーは、座体の表面に覆設され、回動およびスライドし、カバーは、開放孔の外側を被覆することを特徴とする操作装置である。
【０００９】
請求項２の考案は、座体は、第１の座体および第２の座体を含み、第１の座体の収容空間の両側には、少なくとも１組以上の互いに対応する位置規制部が設けられ、第２の座体の外側には、位置規制部と可動可能に突き合わせ接続される支持部が設けられ、第２の座体の内部には、第１の座体の上表面に弾性支持される複数の弾性部材が配置され、第２の座体を浮いた状態にすることを特徴とする請求項１記載の操作装置である。
【００１０】
請求項３の考案は、座体の内部には、複数の結合部が凸設され、回路モジュールに含まれる回路基板の表面には、結合部内に螺入され、一体となる複数の位置決め部材が貫通配置されることを特徴とする請求項１記載の操作装置である。
【００１１】
請求項４の考案は、回路モジュールに含まれる回路基板上のマイクロプロセッサは、検出モジュールと、制御スイッチと、外部の電子製品のインターフェース接続ポートに信号を伝送する伝送インターフェースと、電気的に接続され、伝送インターフェースとインターフェース接続ポートとの信号伝送は、有線または無線の伝送方式であることを特徴とする請求項１記載の操作装置である。
【００１２】
請求項５の考案は、回路基板上の制御スイッチは、ユーザがカバーを押圧して座体の内部の上表面に当接させたとき、信号を発信することを特徴とする請求項４記載の操作装置である。
【００１３】
請求項６の考案は、伝送インターフェースは、ＵＳＢ、ＰＳ２または他の有線接続インターフェースであり、伝送インターフェースに含まれる伝送ケーブルが外部の電子製品のインターフェース接続ポートに挿入接続されることを特徴とする請求項４記載の操作装置である。
【００１４】
請求項７の考案は、伝送インターフェースは、赤外線、ブルートゥース（Ｂｌｕｅｔｏｏｔｈ）、無線周波数または他の形式の無線伝送インターフェースであることを特徴とする請求項４記載の操作装置である。
【００１５】
請求項８の考案は、回路モジュールに含まれる検出モジュールは、少なくとも、検出ユニットと、ベース台の内部に位置決めされる発光部材と、から構成され、ベース台の上表面には、開放孔内に嵌入位置決めされるレンズが配置されることを特徴とする請求項１記載の操作装置である。
【００１６】
請求項９の考案は、カバーの中空の内部には、座体の表面に覆設するための孔部が形成されることを特徴とする請求項１記載の操作装置である。
【００１７】
請求項１０の考案は、座体の外部には、ケーシングが配置され、ケーシングは、底台および少なくとも１つ以上の上蓋を含み、ケーシングの内部には、カバーが変移するための可動空間が形成され、底台の両外側には、座体の外側に含まれる位置決め部と互いに嵌合固定される複数の接合部が設けられ、接合部の内部には、位置決め部に螺合される螺合部材が貫通配置されることを特徴とする請求項１記載の操作装置である。
【００１８】
請求項１１の考案は、底台の可動空間の両側には、少なくとも１組以上の互いに対応する係合支持部が設けられ、２つの上蓋の間の開放孔に対向する位置には、カバーが露出する開口が形成され、上蓋の底側部には、係合支持部に対応して係合位置決めされる複数の係合部が設けられることを特徴とする請求項１０記載の操作装置である。
【００１９】
請求項１２の考案は、底台の外側辺には、互いに対向する２つの凸部が設けられ、上蓋の外側辺には、凸部が嵌合固定される嵌合溝が設けられることを特徴とする請求項１０記載の操作装置である。
【００２０】
請求項１３の考案は、座体の底部の両側部には、支持フレームがそれぞれ位置決めされることを特徴とする請求項１記載の操作装置である。
【００２１】
請求項１４の考案は、座体は、一体成形されるか、或いは、２つ以上の第１の座体および第２の座体から構成され、座体は、略棒状であり、その断面は、円形、楕円形または他のカバーが回動およびスライドするのに都合の良い形状であることを特徴とする請求項１記載の操作装置である。
【００２２】
請求項１５の考案は、座体は、ポリオキシメチレン（ＰＯＭ）、ポリテトラフルオロエチレン（ＰＴＦＥ）、超高分子量ポリエチレン（ＵＨＭＷＰＥ）または他の自己潤滑性材料から製造されることを特徴とする請求項１記載の操作装置である。
【００２３】
請求項１６の考案は、カバーは、網状の編織布または不織布から製造されることを特徴とする請求項１記載の操作装置である。
【００２４】
請求項１７の考案は、カバーは、プラスチックまたはゴムから製造されることを特徴とする請求項１記載の操作装置である。
【００２５】
請求項１８の考案は、カバーは、皮革から製造されることを特徴とする請求項１記載の操作装置である。
【考案の効果】
【００２６】
伝送ケーブルにより、回路モジュールに含まれる伝送インターフェースと外部のコンピュータ上のインターフェース接続ポートとが接続された後、ユーザが腕部をマウスパッド上に当接させたとき、指で座体の上表面のカバーを前後に回動させたり、左右にスライドさせたりすることができる。このとき、回路モジュールに含まれる検出モジュールが座体の上表面の開放孔を通じ、カバーのＸ軸およびＹ軸の移動距離および軌跡を計算し、コンピュータのモニター上のカーソルを変移させて操作することができる。人体工学に基づいた設計であるため、ユーザが操作を行うとき、同一の姿勢を維持することができる。また、座体は、自己潤滑性材料から製造されるため、カバーがケーシングの内部の可動空間において変移するのを補助すると同時に、カバーの表面と座体の表面との間に発生する摩擦力を低減し、カバーを使用するときの安定性および円滑性を向上させることができる。
【図面の簡単な説明】
【００２７】
【図１】本考案の一実施形態による操作装置を示す斜視図である。
【図２】本考案の一実施形態による操作装置を示す分解斜視図である。
【図３】本考案の一実施形態による操作装置を示す他の角度からの分解斜視図である。
【図４】本考案の一実施形態による操作装置のカバーを左右にスライドさせる様子を示す斜視図である。
【図５】本考案の一実施形態による操作装置のカバーを左右にスライドさせる様子を示す断面図である。
【図６】本考案の一実施形態による操作装置のカバーを回動させる様子を示す断面図である。
【図７】本考案の一実施形態による操作装置のカバーを下方に押圧する状態を示す断面図である。
【図８】本考案の他の実施形態による操作装置を示す断面図である。
【考案を実施するための形態】
【００２８】
本考案の目的、特徴および効果を示す実施形態を図面に沿って詳細に説明する。
【００２９】
図１〜図３を参照する。図１は、本考案の一実施形態による操作装置を示す斜視図である。図２は、本考案の一実施形態による操作装置を示す分解斜視図である。図３は、本考案の一実施形態による操作装置を示す他の角度からの分解斜視図である。図１〜図３から分かるように、本考案は、座体１、回路モジュール２、カバー３およびケーシング４から構成される。
【００３０】
座体１は、第１の座体１１および第２の座体１２から構成される。第１の座体１１および第２の座体１２の内部には、収容空間１０が形成される。第１の座体１１の収容空間１０の両側には、少なくとも１組以上の互いに対応する位置規制部１１１が設けられる。位置規制部１１１の外側の角には、複数の位置決め部１１２が設けられる。また、第２の座体１２の表面には、収容空間１０内に連通する開放孔１２１が開設される。第２の座体１２の内部には、複数の結合部１２２が凸設される。結合部１２２の外側には、位置規制部１１１と互いに可動可能に突き合わせ接続される支持部１２３が設けられる。結合部１２２と隣合う両側には、内側から外側に交差した状態の複数の弾性部材１２４が配置され、弾性部材１２４が第１の座体１１表面に弾性支持されることにより、第２の座体１２は浮いた状態となる。
【００３１】
回路モジュール２は、座体１の収容空間１０内に収容される。回路モジュール２は、回路基板２０を含み、回路基板２０の表面にはマイクロプロセッサ２１が配置される。マイクロプロセッサ２１は、開放孔１２１に位置合わせされ、座体１の外部のカバー３の変移を検出する検出モジュール２２と、制御スイッチ２３と、外部のコンピュータ上のインターフェース接続ポートに信号を伝送する伝送インターフェース２４と、電気的に接続される。また、検出モジュール２２は、少なくとも、検出ユニット２２１と、ベース台２２２の内部に位置決めされる発光部材２２３と、から構成される。ベース台２２２の上表面には、開放孔１２１内に嵌合位置決めされ、第２の座体１２の上表面と同一の平面となるレンズ２２４が配置される（図６を参照）。回路基板２０の表面には、第２の座体１２の結合部１２２内に螺入されて接合された後、一体となる複数の位置決め部材２５が貫通配置される。
【００３２】
カバー３の中空の内部には、座体１の表面に覆設し、前後に回動させたり、左右にスライドさせたりするための孔部３１が形成される。カバー３は、開放孔１２１の外側を被覆する。
【００３３】
ケーシング４は、底台４１および少なくとも１つ以上の上蓋４２から構成される。底台４１および上蓋４２の内部には、座体１およびカバー３が収容され、カバー体３が回動およびスライドするための可動空間４０が形成される。底台４１の可動空間４０の両側には、少なくとも１組以上の互いに対応する係合支持部４１１が設けられる。係合支持部４１１の外側の角には、位置決め１１２と互いに嵌合固定される複数の接合部４１２が設けられる。接合部４１２の内部には、螺合部材４１３が貫通配置される。接合部４１２の外側辺には、２つの凸部４１４が対向して設けられる。２つの上蓋４２の間の開放孔１２１と対向する位置には、カバー３が露出する開口４２１が形成される。上蓋４２の断面は、略コ字形である。上蓋４２の底側部には、係合支持部４１１と互いに係合位置決めされる複数の係合部４２２が設けられる。係合部４２２と隣合う外側辺には、凸部４１４が嵌合固定される嵌合溝４２３が設けられる。
【００３４】
上述の座体１は、一体成形されるか、或いは、少なくとも２つ以上の第１の座体１１および第２の座体１２から構成することができる。座体１は、略棒状であり、その断面は、円形、楕円形または他のカバー３が回動およびスライドするのに都合の良い形状とすることができる。座体１は、ポリオキシメチレン（Ｐｏｌｙｏｘｙｍｅｔｈｙｌｅｎｅ：ＰＯＭ）、ポリテトラフルオロエチレン（Ｐｏｌｙｔｅｔｒａｆｌｕｏｒｏｅｔｈｙｌｅｎｅ：ＰＴＦＥ）、超高分子量ポリエチレン（Ｕｌｔｒａ  Ｈｉｇｈ  Ｍｏｌｅｃｕｌａｒ  Ｗｅｉｇｈｔ  Ｐｏｌｙｅｔｈｙｌｅｎｅ：ＵＨＭＷＰＥ）または他の自己潤滑性材料から製造される。また、回路モジュール２に含まれる検出モジュール２２は、ユーザがカバー３を前後に回動させたり、左右にスライドさせる動作を検出することができる。その検出方式は、発光部材２２３がレンズ２２４を通じてカバー３の上表面に光線を投射し、カバー３が変移したとき、光線に様々な干渉現象が発生し、検出ユニット２２１がカバー３の色、凹凸または平滑度に対応する運動量と、レンズ２２４により屈折された光線と、を画像化し、マイクロプロセッサ２１により、Ｘ軸およびＹ軸の移動距離および軌跡の計算を行う方式である。伝送インターフェース２４から延伸され、凸部４１４上の穿孔４１４１を貫通する伝送ケーブル２４１により、外部のコンピュータのインターフェース接続ポートに挿入接続することができ、コンピュータのモニター上のカーソルをＸ軸およびＹ軸方向に変移させることができる。ここで、検出モジュール２２が如何にして光線を投射し、屈折された光線を画像化し、Ｘ軸およびＹ軸の移動距離および軌跡を計算するかは、従来技術であり、本考案の要点ではなく、本考案の保護されるべき実用新案登録請求の範囲に影響を与えないため、説明は行わない。伝送インターフェース２４とインターフェース接続ポートとの信号伝送は、有線または無線の方式で行うことができる。即ち、伝送インターフェース２４は、ＵＳＢ、ＰＳ２または他の形式の有線の接続インターフェースとすることができる。或いは、赤外線、ブルートゥース（Ｂｌｕｅｔｏｏｔｈ）、無線周波数（ＲＦ）または他の形式の無線伝送インターフェースとすることができる。また、カバー３は、網状の編織布、不織布、プラスチック、ゴムまたは皮革などから製造することができる。また、カバー３の表面には、複数の凹凸点または網点を形成したり、銀粉または銀塗料を塗布したりすることができる。ここで、これらは、検出モジュール２２がカバー３の回動およびスライドを正確に識別および検出することができると同時に、装置全体の感度および解析度を高め、カーソルを正確に位置決めし、操作できるものであればよい。従って、前述の効果を達成できるものは、すべて本考案に含まれ、簡単な修飾および同等効果の変更は、全て本考案の実用新案登録請求の範囲に含まれる。
【００３５】
本考案を組み立てるとき、先ず、回路モジュール２を座体１の収容空間１０内に収容する。回路基板２０の表面に貫通配置された複数の位置決め部材２５を第２の座体１２の内部の接合部１２２に螺入して一体にする。それと同時に、検出モジュール２２上のレンズ２２４が開放孔１２１内に嵌入位置決めされ、第２の座体１２の上表面と同一平面となる。次に、第２の座体１２の外側の支持部１２３と第１の座体１１に含まれる位置規制部１１１とを互いに可動可能に突き合わせ接続し、第２の座体１２の両側に配置された複数の弾性部材１２４を第１の座体１１の上表面に弾性支持し、第２の座体１２を浮いた状態にする。カバー３の内部の孔部３１を座体１の外部表面に覆設した後、カバー３を開放孔１２１の外側に被覆する。その後、座体１およびカバー３をケーシング４の内部の可動空間４０に収容し、底台４１上の接合部４１２と第１の座体１１に含まれる位置決め部１１２とを嵌合固定する。螺合部材４１３を接合部４１２に含まれる貫通孔から位置決め部１１２の螺合孔内に螺入する。次に、２つの上蓋４２の底側部の複数の係合部４２２と底台４１両側の係合支持部４１１とを互いに係合位置決めする。それと同時に、凸部４１４と嵌合溝４２３とを互いに嵌合固定して一体にし、本考案の組立が完了する。
【００３６】
図４〜図７を参照する。図４は、本考案の一実施形態による操作装置のカバーを左右にスライドさせる様子を示す斜視図である。図５は、本考案の一実施形態による操作装置のカバーを左右にスライドさせる様子を示す断面図である。図６は、本考案の一実施形態による操作装置のカバーを回動させる様子を示す断面図である。図７は、本考案の一実施形態による操作装置のカバーを下方に押圧する状態を示す断面図である。図４〜図７から分かるように、本考案の操作装置は、コンピュータ、ノートパソコン、携帯電話または他の外部の電子製品上に設置することができる。また、伝送ケーブル２４１により、回路モジュール２に含まれる伝送インターフェース２４と外部のコンピュータ上のインターフェース接続ポートとが接続された後、ユーザが腕部をマウスパッド上に当接させたとき、指で座体１の上表面のカバー３を前後に回動させたり、左右にスライドさせたりすることができる。このとき、回路モジュール２に含まれる検出モジュール２２が座体１の上表面の開放孔１２１を通じ、カバー３のＸ軸およびＹ軸の移動距離および軌跡を計算し、コンピュータのモニター上のカーソルを変移させて操作することができる。人体工学に基づいた設計であるため、ユーザが操作を行うとき、同一の姿勢を維持することができる。また、座体１は、自己潤滑性材料から製造されるため、カバー３がケーシング４の内部の可動空間４０において変移するのを補助すると同時に、カバー３の表面と座体１の表面との間に発生する摩擦力を低減し、カバー３を使用するときの安定性および円滑性を向上させることができる。
【００３７】
ユーザがカバー３を下方に押圧したとき、座体１に含まれる第２の座体１２が支持部１２３を通じて第１の座体１１の対応する位置規制部１１１の方向に下方に変移し、内部の弾性部材１２４が圧縮されて第１の座体１１の表面上に支持され、弾性変形した状態となる。それと同時に、回路モジュール２に含まれる回路基板２０の底部上の制御スイッチ２３が下方の第１の座体１１表面上に当接されて信号が発信され、カーソルがクリックされた状態となる。また、座体１を下方に変移させた状態で、カバー３を前後に回動させたり左右にスライドさせたりすることにより、画面をスクロールさせたり、ドラッグしたり、マウスドラッグによる選択をしたりすることができる。ユーザがカバー３の変移および下方への押圧を止めたとき、弾性部材１２４は、弾性復元力により、第１の座体１１の上表面に支持され、第２の座体１２が上方に復位して本来の浮いた状態となる。
【００３８】
回路モジュール２は、座体１の内部の収容空間１０に収容され、第２の座体１２と一体に接合されることにより、外部の電子製品上に回路モジュール２を設置するときの占有空間を低減し、回路モジュール２を完全に遮蔽することができる。これにより、美観性を高める上、操作装置全体を小型化することができる。
【００３９】
以上の説明は、本考案の好適な実施形態を示したものであり、本考案の範囲を限定するものではない。本考案の操作装置は、コンピュータ、ノートパソコン、携帯電話または他の外部の電子製品のカーソルを操作するのに使用されたり、或いは、画面をスクロールさせたり、ドラッグしたり、マウスドラッグによる選択をしたりするのに応用することができる。また、本考案の座体１の内部には回路モジュール２が収容され、外部にはカバー３が覆設されるが、ケーシング４は、ユーザの必要または設計に応じ、各種の接合方式を実施することができる。また、２つの支持フレーム５を座体１の底部の両側に位置決めすることができる（図８を参照）。支持フレーム５は、座体１を安定的に支持し、ユーザがカバー３を座体１の上表面において前後に回動させたり、左右にスライドさせたりするのに都合が良く、カバー３の着脱に便利で、清掃および交換がしやすく、全体の使用上の機能および効果を高めることができればよい。即ち、本考案の明細書および図面の内容の簡易な修飾および同等効果である変更は、全て本考案の実用新案登録請求の範囲に含まれる。
【００４０】
上述のように、本考案の操作装置は、上述の効果および目的を確実に達成することができ、実用性に優れた考案である。
【符号の説明】
【００４１】
１        座体
１０      収容空間
１１      第１の座体
１１１    位置規制部
１１２    位置決め部
１２      第２の座体
１２１    開放孔
１２２    結合部
１２３    支持部
１２４    弾性部材
２        回路モジュール
２０      回路基板
２１      マイクロプロセッサ
２２      検出モジュール
２２１    検出ユニット
２２２    ベース台
２２３    発光部材
２２４    レンズ
２３      制御スイッチ
２４      伝送インターフェース
２４１    伝送ケーブル
２５      位置決め部材
３        カバー
３１      孔部
４        ケーシング
４０      可動空間
４１      底台
４１１    係合支持部
４１２    接合部
４１３    螺合部材
４１４    凸部
４１４１  穿孔
４２      上蓋
４２１    開口
４２２    係合部
４２３    嵌合溝
５        支持フレーム
【図１】
0003160357.tif 000003
【図２】
0003160357.tif 000004
【図３】
0003160357.tif 000005
【図４】
0003160357.tif 000006
【図５】
0003160357.tif 000007
【図６】
0003160357.tif 000008
【図７】
0003160357.tif 000009
【図８】
0003160357.tif 000010
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
外部の電子製品に信号を伝送し、カーソル動作を制御するのに使用される操作装置であり、座体、回路モジュールおよびカバーから構成され、
前記座体の内部には、収容空間が形成され、前記座体の上表面には、前記収容空間に連通する開放孔が設けられ、
前記回路モジュールは、回路基板を含み、前記座体の収容空間内に収容され、前記回路基板の表面には、マイクロプロセッサと、前記開放孔に位置合わせされ、前記カバーの変移を検出する検出モジュールと、が配置され、
前記カバーは、前記座体の表面に覆設され、回動およびスライドし、前記カバーは、前記開放孔の外側を被覆することを特徴とする操作装置。
【請求項２】
前記座体は、第１の座体および第２の座体を含み、前記第１の座体の前記収容空間の両側には、少なくとも１組以上の互いに対応する位置規制部が設けられ、前記第２の座体の外側には、前記位置規制部と可動可能に突き合わせ接続される支持部が設けられ、前記第２の座体の内部には、第１の座体の上表面に弾性支持される複数の弾性部材が配置され、前記第２の座体を浮いた状態にすることを特徴とする請求項１記載の操作装置。
【請求項３】
前記座体の内部には、複数の結合部が凸設され、前記回路モジュールに含まれる前記回路基板の表面には、前記結合部内に螺入され、一体となる複数の位置決め部材が貫通配置されることを特徴とする請求項１記載の操作装置。
【請求項４】
前記回路モジュールに含まれる回路基板上のマイクロプロセッサは、前記検出モジュールと、制御スイッチと、外部の電子製品のインターフェース接続ポートに信号を伝送する伝送インターフェースと、電気的に接続され、前記伝送インターフェースとインターフェース接続ポートとの信号伝送は、有線または無線の伝送方式であることを特徴とする請求項１記載の操作装置。
【請求項５】
前記回路基板上の制御スイッチは、ユーザが前記カバーを押圧して前記座体の内部の上表面に当接させたとき、信号を発信することを特徴とする請求項４記載の操作装置。
【請求項６】
前記伝送インターフェースは、ＵＳＢ、ＰＳ２または他の有線接続インターフェースであり、前記伝送インターフェースに含まれる伝送ケーブルが外部の電子製品のインターフェース接続ポートに挿入接続されることを特徴とする請求項４記載の操作装置。
【請求項７】
前記伝送インターフェースは、赤外線、ブルートゥース（Ｂｌｕｅｔｏｏｔｈ（登録商標））、無線周波数または他の形式の無線伝送インターフェースであることを特徴とする請求項４記載の操作装置。
【請求項８】
前記回路モジュールに含まれる検出モジュールは、少なくとも、検出ユニットと、ベース台の内部に位置決めされる発光部材と、から構成され、前記ベース台の上表面には、前記開放孔内に嵌入位置決めされるレンズが配置されることを特徴とする請求項１記載の操作装置。
【請求項９】
前記カバーの中空の内部には、前記座体の表面に覆設するための孔部が形成されることを特徴とする請求項１記載の操作装置。
【請求項１０】
前記座体の外部には、ケーシングが配置され、前記ケーシングは、底台および少なくとも１つ以上の上蓋を含み、前記ケーシングの内部には、前記カバーが変移するための可動空間が形成され、前記底台の両外側には、前記座体の外側に含まれる位置決め部と互いに嵌合固定される複数の接合部が設けられ、前記接合部の内部には、前記位置決め部に螺合される螺合部材が貫通配置されることを特徴とする請求項１記載の操作装置。
【請求項１１】
前記底台の前記可動空間の両側には、少なくとも１組以上の互いに対応する係合支持部が設けられ、前記２つの上蓋の間の前記開放孔に対向する位置には、前記カバーが露出する開口が形成され、前記上蓋の底側部には、前記係合支持部に対応して係合位置決めされる複数の係合部が設けられることを特徴とする請求項１０記載の操作装置。
【請求項１２】
前記底台の外側辺には、互いに対向する２つの凸部が設けられ、前記上蓋の外側辺には、前記凸部が嵌合固定される嵌合溝が設けられることを特徴とする請求項１０記載の操作装置。
【請求項１３】
前記座体の底部の両側部には、支持フレームがそれぞれ位置決めされることを特徴とする請求項１記載の操作装置。
【請求項１４】
前記座体は、一体成形されるか、或いは、２つ以上の第１の座体および第２の座体から構成され、前記座体は、略棒状であり、その断面は、円形、楕円形または他のカバーが回動およびスライドするのに都合の良い形状であることを特徴とする請求項１記載の操作装置。
【請求項１５】
前記座体は、ポリオキシメチレン（ＰＯＭ）、ポリテトラフルオロエチレン（ＰＴＦＥ）、超高分子量ポリエチレン（ＵＨＭＷＰＥ）または他の自己潤滑性材料から製造されることを特徴とする請求項１記載の操作装置。
【請求項１６】
前記カバーは、網状の編織布または不織布から製造されることを特徴とする請求項１記載の操作装置。
【請求項１７】
前記カバーは、プラスチックまたはゴムから製造されることを特徴とする請求項１記載の操作装置。
【請求項１８】
前記カバーは、皮革から製造されることを特徴とする請求項１記載の操作装置。
【手続補正２】
【補正対象書類名】明細書
【補正対象項目名】００１４
【補正方法】変更
【補正の内容】
【００１４】
請求項７の考案は、伝送インターフェースは、赤外線、ブルートゥース（Ｂｌｕｅｔｏｏｔｈ（登録商標））、無線周波数または他の形式の無線伝送インターフェースであることを特徴とする請求項４記載の操作装置である。
【手続補正３】
【補正対象書類名】明細書
【補正対象項目名】００３４
【補正方法】変更
【補正の内容】
【００３４】
上述の座体１は、一体成形されるか、或いは、少なくとも２つ以上の第１の座体１１および第２の座体１２から構成することができる。座体１は、略棒状であり、その断面は、円形、楕円形または他のカバー３が回動およびスライドするのに都合の良い形状とすることができる。座体１は、ポリオキシメチレン（Ｐｏｌｙｏｘｙｍｅｔｈｙｌｅｎｅ：ＰＯＭ）、ポリテトラフルオロエチレン（Ｐｏｌｙｔｅｔｒａｆｌｕｏｒｏｅｔｈｙｌｅｎｅ：ＰＴＦＥ）、超高分子量ポリエチレン（Ｕｌｔｒａ  Ｈｉｇｈ  Ｍｏｌｅｃｕｌａｒ  Ｗｅｉｇｈｔ  Ｐｏｌｙｅｔｈｙｌｅｎｅ：ＵＨＭＷＰＥ）または他の自己潤滑性材料から製造される。また、回路モジュール２に含まれる検出モジュール２２は、ユーザがカバー３を前後に回動させたり、左右にスライドさせる動作を検出することができる。その検出方式は、発光部材２２３がレンズ２２４を通じてカバー３の上表面に光線を投射し、カバー３が変移したとき、光線に様々な干渉現象が発生し、検出ユニット２２１がカバー３の色、凹凸または平滑度に対応する運動量と、レンズ２２４により屈折された光線と、を画像化し、マイクロプロセッサ２１により、Ｘ軸およびＹ軸の移動距離および軌跡の計算を行う方式である。伝送インターフェース２４から延伸され、凸部４１４上の穿孔４１４１を貫通する伝送ケーブル２４１により、外部のコンピュータのインターフェース接続ポートに挿入接続することができ、コンピュータのモニター上のカーソルをＸ軸およびＹ軸方向に変移させることができる。ここで、検出モジュール２２が如何にして光線を投射し、屈折された光線を画像化し、Ｘ軸およびＹ軸の移動距離および軌跡を計算するかは、従来技術であり、本考案の要点ではなく、本考案の保護されるべき実用新案登録請求の範囲に影響を与えないため、説明は行わない。伝送インターフェース２４とインターフェース接続ポートとの信号伝送は、有線または無線の方式で行うことができる。即ち、伝送インターフェース２４は、ＵＳＢ、ＰＳ２または他の形式の有線の接続インターフェースとすることができる。或いは、赤外線、ブルートゥース（Ｂｌｕｅｔｏｏｔｈ（登録商標））、無線周波数（ＲＦ）または他の形式の無線伝送インターフェースとすることができる。また、カバー３は、網状の編織布、不織布、プラスチック、ゴムまたは皮革などから製造することができる。また、カバー３の表面には、複数の凹凸点または網点を形成したり、銀粉または銀塗料を塗布したりすることができる。ここで、これらは、検出モジュール２２がカバー３の回動およびスライドを正確に識別および検出することができると同時に、装置全体の感度および解析度を高め、カーソルを正確に位置決めし、操作できるものであればよい。従って、前述の効果を達成できるものは、すべて本考案に含まれ、簡単な修飾および同等効果の変更は、全て本考案の実用新案登録請求の範囲に含まれる。